(57)【要約】【解決手段】コネクタのハウジングはリブを含みスロットが形成されており、隣接するリブ間に少なくとも１個の端子が設けられる。ハウジングは、第１及び第２のベース壁と中央壁とを有し、複数のリブが第１及び第２のベース壁と中央壁とに接続され外側に延在している。リブは互いに離間しており、隣接するリブ間にスロットが画定されている。各スロットに少なくとも１個の端子が位置決めされ、端子の表面領域が周囲に曝（さら）され、空気がその表面領域上を流れるため、少なくとも１個の端子から熱を放散することができる。
2006523362.tif 000002
【特許請求の範囲】
【請求項１】
ハウジング壁を備え、互いに離間した複数のリブが前記ハウジング壁から延在して隣接するリブ間にスロットを画定しているハウジングと、
前記スロットの各々の中に位置決めされるとともに前記ハウジングに接続された少なくとも１個の端子とを有し、前記各端子の表面領域が周囲に曝されて前記表面領域上を空気が流れ前記少なくとも１個の端子からの熱を放散することができるようになっているコネクタ。
【請求項２】
前記ハウジング壁は第１ハウジングベース壁であり、前記ハウジングは、前記第１のハウジング壁に接続されているが前記第１のハウジング壁とは離間している第２ハウジングベース壁を更に含み、前記リブの各々は、前記ハウジングベース壁の各々から延在する第１リブ部及び第２リブ部を含み、前記第１リブ部の各々は、対応する前記ハウジングベース壁から第１の方向に延在して前記スロットの各々が第１スロット部を備え、前記第２リブ部の各々は、対応する前記ハウジングベース壁から第２の方向である反対方向に延在して前記スロットの各々が第２スロット部を備える、請求項１に記載のコネクタ。
【請求項３】
前記端子のうちの少なくとも１個が、対応する第１スロット部及び第２スロット部の内部に位置決めされている、請求項２に記載のコネクタ。
【請求項４】
前記端子の各々が、端子ベース壁と、該端子ベース壁から延在する第１端子部と、前記端子ベース壁から同一方向に延在する第２端子部とを含み、前記第１及び第２端子部は、対応する第１スロット部内に位置決めされており、対応する前記端子ベース壁の各々は、対応する第２スロット部内に位置決めされている、請求項２に記載のコネクタ。
【請求項５】
前記ハウジングは、前記第１ハウジングベース壁と第２ハウジングベース壁との間に設けられたハウジング中央壁を更に含み、該ハウジング中央壁と前記第１ハウジングベース壁との間に第１開口部が形成され、前記ハウジング中央壁と第２ハウジングベース壁との間に第２開口部が形成され、前記第１端子部は対応する第１開口部内に位置決めされ、前記第２端子部は対応する第２開口部内に位置決めされている、請求項４に記載のコネクタ。
【請求項６】
前記端子の各々は、組合されるプリント回路基板に前記端子を接続するための手段を更に含み、該手段は前記第２リブ部の端部を超えて延在している、請求項５に記載のコネクタ。
【請求項７】
前記端子の各々は、前記端子を前記ハウジングに接続するための手段を更に含む、請求項５に記載のコネクタ。
【請求項８】
前記端子の各々は、前記第１端子部に形成された拡大ヘッドと、前記第２端子部に形成された拡大ヘッドとを含む、請求項５に記載のコネクタ。
【請求項９】
前記第１開口部の幅は前記第１端子部の幅より広く、空気が前記第１開口部内を流れることができ、前記第２開口部の幅は前記第２端子部の幅より広く、空気が前記第２開口部内を流れることができる、請求項５に記載のコネクタ。
【請求項１０】
隣接するリブ間に２個の端子が設けられ、前記第１開口部の幅は前記２個の端子の幅より広く、空気が前記第１開口部内を流れることができ、前記第２開口部の幅は前記２個の端子の幅より広く、空気が前記第２開口部内を流れることができる、請求項９に記載のコネクタ。
【請求項１１】
前記壁はハウジング中央壁であり、前記ハウジングは更に、前記ハウジング中央壁に接続された第１ハウジングベース壁及び第２ハウジングベース壁を含み、前記第１ハウジングベース壁、前記ハウジング中央壁及び前記第２ハウジングベース壁は互いに離間され、前記ハウジング中央壁と前記第１ハウジングベース壁との間に第１開口部が形成されているとともに前記ハウジング中央壁と第２ハウジングベース壁との間に第２開口部が形成されており、前記少なくとも１個の端子は前記開口部内に位置決めされ、前記端子の各々の更なる表面領域が周囲に曝されて空気が前記表面領域上を流れ前記少なくとも１個の端子からの熱を放散することができるようになっている、請求項１に記載のコネクタ。
【請求項１２】
隣接するリブ間に２個の端子が設けられる、請求項１１に記載のコネクタ。
【請求項１３】
前記端子の各々が、端子ベース壁と、該端子ベース壁から延在する第１端子部と、前記端子ベース壁から同一方向に延在する第２端子部とを含み、前記第１端子部は前記第１開口部及び対応するスロットの内部に位置決めされ、前記第２端子部は前記第２開口部及び対応するスロットの内部に位置決めされ、前記端子ベース壁は対応するスロットの内部に位置決めされている、請求項１１に記載のコネクタ。
【請求項１４】
前記第１開口部の幅は前記第１端子部の幅より広く、空気が前記第１開口部内を流れることができ、前記第２開口部の幅は前記第２端子部の幅より広く、空気が前記第２開口部内を流れることができる、請求項１３に記載のコネクタ。
【請求項１５】
隣接するリブ間に２個の端子が設けられる、請求項１３に記載のコネクタ。
【請求項１６】
隣接するリブ間に２個の端子が設けられる、請求項１に記載のコネクタ。
【請求項１７】
隣接するリブ間に設けられた前記２個の端子は同一の極性を有する、請求項１６に記載のコネクタ。
【発明の詳細な説明】
【技術分野】
【０００１】
本発明は、一般に、電気供給によって発生した熱を放散するコネクタに関する。
【背景技術】
【０００２】
コンピュータ、サーバ等の電子機器が小型化している上、より多くの電力が必要とされているため、電力搬送容量のより大きな電力コネクタが要求されている。
【０００３】
コネクタを通過可能な最大電気量は限定されており、最大電気量を決める一要因としてコネクタ内の温度上昇が挙げられる。最高温度となるのは、温度平衡に達したときである。温度平衡となるのは、電流供給による内部の熱発生の速度とコネクタから周囲環境への熱の放散速度が等しくなったときである。従来技術のコネクタは該コネクタからの熱の放散を効率的に行うように設計されていないため、コネクタが伝送することができる電流供給量が限られている。
【発明の開示】
【発明が解決しようとする課題】
【０００４】
本発明は、従来技術における問題点を克服するとともに、従来技術では達成することができない利点を有するコネクタを提供する。各利点については、図面と組合せて本明細書を読むことにより明確になるであろう。
【課題を解決するための手段】
【０００５】
本発明の一般的な目的は、電流供給によって発生する熱を放散するコネクタを提供することにある。
【０００６】
本発明の他の一般的な目的は、電流供給により発生する熱を強制対流冷却によって放散するコネクタを提供することにある。
【０００７】
本発明の更に他の目的は、従来技術による装置よりも熱容量の小さなハウジングを有するコネクタを提供することにある。
【０００８】
本発明の更に他の目的は、モールド成形時にサイドプルを必要としないためモールド成形によって容易に製造することができるハウジングを有するコネクタを提供することにある。
【０００９】
本発明の具体的な目的は、使用する材料が少ないため従来技術による装置よりも製造コストの低いハウジングを有するコネクタを提供することにある。
【００１０】
すなわち、上記に鑑み、本発明のコネクタのハウジングはリブを含みスロットが形成されており、隣接するリブ間に少なくとも１個の端子が設けられる。ハウジングは、第１及び第２のベース壁と中央壁とを有し、複数のリブが第１及び第２のベース壁と中央壁とに接続され外側に延在している。リブは互いに離間しており、隣接するリブ間にスロットが画定されている。各スロットに少なくとも１個の端子が位置決めされ、端子の表面領域のうちの大きな領域が周囲に曝（さら）され、空気がその表面領域上を流れるため、前記少なくとも１個の端子から熱を放散することができる。
【００１１】
本発明の構造及び作用の構成及び方法は、本発明の更なる目的及び利点とともに、添付図面と組合せて行われる次の説明を参照することによって最もよく理解することができるであろう。図面において同様の要素には同様の符号を付す。
【発明を実施するための最良の形態】
【００１２】
本明細書において、詳細に説明し図面に示すものは特定の実施形態であるが、本発明は種々の形態の実施形態を取ることができ、本明細書における開示は本発明の本質の例示と考えるべきであって、本発明が、本明細書において図示し説明したものに限定されることを意図したものではないと理解されるものである。
【００１３】
本発明の第１の実施形態の特徴が組み込まれたコネクタ２０を図１〜７に示す。また、本発明の第２の実施形態の特徴が組み込まれたコネクタ１２０を図８〜１３に示す。
【００１４】
図１〜７に示すコネクタ２０に注目する。該コネクタ２０は、絶縁性ハウジング２２と、該ハウジング２２内に取付けられた複数の導電性端子２４とを含む。図示のコネクタ２０は２０個の端子２４を有しているが、コネクタ２０は、任意の数、例えば、１６０個の端子２４を有することができると理解すべきである。
【００１５】
図２、３及び５〜７においてより明確に示されているが、ハウジング２２は、細長の第１ベース壁２６、該第１ベース壁２６から離間した細長の第２ベース壁２８、並びに、第１ベース壁２６及び第２ベース壁２８から離間しそれらの間に設けられた細長の中央壁３０を含む。第１ベース壁２６、第２ベース壁２８及び中央壁３０はほぼ直方体である。第１ベース壁２６、第２ベース壁２８及び中央壁３０の一端は、第１の端部壁３２によって互いに接続されており、それらの他端は第２の端部壁３４によって互いに接続されている（図５〜７においては第２の端部壁３４は切取られている）。端部壁３２、３４は、第１ベース壁２６、第２ベース壁２８及び中央壁３０に直交している。
【００１６】
図２、３及び５〜７において最もよく示されているが、中央壁３０は、第１ベース壁２６に対向する中央壁３０の側面の長さ方向に沿って互いに離間した複数の切欠部３６を含む。前記中央壁３０は更に、第２ベース壁２８に対向する中央壁３０の側面の長さ方向に沿って互いに離間した複数の切欠部３８を有する。
【００１７】
第１及び第２のベース壁２６、２８と中央壁３０との間にはほぼＵ字状の複数のリブ３９が延在している。各リブ３９は、第１リブセクション４０と、第２リブセクション５６と、第１リブセクション４０と第２リブセクション５６との間に延在し、これらを接続するミドルリブセクション４１とから成る。
【００１８】
第１リブセクション４０は第１ベース壁２６から延在している。第１リブセクション４０は、第１ベース壁２６の長さ方向に沿って互いに離間している。図７において最もよく示されているが、第１リブセクション４０の各々は、第１部分４４、第２部分４６及びミドル部分４８を含む。第１及び第２部分４４、４６はほぼ直方体である。各第１リブセクション４０の第１部分４４は、第１ベース壁２６から第１の方向に延在し、隣接する第１部分４４の間にスロット５０が形成されている。各第１リブセクション４０の第２部分４６は、第１ベース壁２６から、反対方向である第２の方向に延在し、隣接する第２部分４６の間にスロット５２が形成されている。第１リブセクション４０のミドル部分４８は、第１ベース壁２６に隣接し、該第１ベース壁２６側の中央壁３０の側部に当接している。図３において最もよく示されているが、これにより、隣接する第１リブセクション４０、中央壁３０及び第１ベース壁２６の間に複数の開口部５４が形成される。
【００１９】
第２リブセクション５６は第２ベース壁２８から延在している。第２リブセクション５６は、第２ベース壁２６の長さ方向に沿って互いに離間している。第２リブセクション５６の各々は、コネクタ２０の長さ方向に沿って第１リブセクション４０のそれぞれと位置合せされているとともに、中央壁３０の下方に延在するミドルセクション４１によって第１リブセクション４０に接続されている。第２リブセクション５６の各々の形状は第１リブセクション４０と同一であり、図７において最もよく示されているが、第２リブセクション５６の各々は、第１部分６０、第２部分６２及びミドル部分６４を含む。第１及び第２部分６０、６２はほぼ直方体である。各第２リブセクション５６の第１部分６０は第２ベース壁２８から第１の方向に延在し、隣接する第１部分６０間にスロット６６が形成されている。該スロット６６はスロット５０と位置合せされている。各第２リブセクション５６の第２部分６２は、第２ベース壁２８から、反対方向である第２の方向に延在し、隣接する第２部分６２間にスロット６８が形成されている。該スロット６８はスロット５２と位置合せされている。第２リブセクション５６のミドル部分６４は第２ベース壁２８と隣接し、第２ベース壁２８側の中央壁３０の側部に当接している。これにより、図７において最もよく示されているが、隣接する第２リブセクション５６と中央壁３０と第２ベース壁２８との間に複数の開口部７０が形成される。該開口部７０は開口部５４と位置合せされている。
【００２０】
図５〜７において最もよく示されているが、各端子２４は隣接するリブ３９間にあり、各端子２４は、ベース部分７２と、該ベース部分７２の一側部から延在する第１の細長部分７４と、ベース部分７２の同一の側部から延在し第１の細長部分７４と離間している第２の細長部分７６と、端子２４を中央壁３０に取付けるのに使用されベース部分７２から延在し互いに離間した第１の対を構成する取付脚７８ａ、７８ｂと、組合されるプリント回路基板（図示せず）にコネクタ２０を接続するのに使用されベース壁７２の反対の側部から延在し互いに離間した第２の対を構成する脚８０ａ、８０ｂとを有する。第１の細長部分７４の自由端は拡大コンタクトヘッド８２を含み、該拡大コンタクトヘッド８２は第２の細長部分７６側に延在している。第１の細長部分７４は、開口部５４を通って中央壁３０と第１ベース壁２８との間に延在しており、拡大コンタクトヘッド７４はスロット５０内に延在している。第２の細長部分７６の自由端は拡大コンタクトヘッド８４を含み、該拡大コンタクトヘッド８４は第１の細長部分７４側に延在している。第２の細長部分７６は、開口部７０を通って中央壁３０と第２ベース壁２８との間に延在しており、拡大コンタクトヘッド８４はスロット６６内に延在している。第１の対を構成する脚７８ａ、７８ｂは、中央壁３０の両側部に沿って切欠部３８内に延在し、戻止め等の適切な手段によって切欠部３８に接続される。ベース部分７２はスロット５２、６６内の中央壁３０の下方に配設される。第２の対を構成する脚８０ａ、８０ｂは、ベース壁７２から、第１及び第２リブセクション４０、５６の第１部分４４、６０が延在する距離よりも長い距離だけ外方に延在する。
【００２１】
好ましくは、隣接するリブ３９間に２個の端子２４が設けられ、端子同士はスロット５０、５２、６６、６８及びその間の開口部５４、７０内において互いに離間し、両端子２４、ベース壁２６、２８及び中央壁３０の間に空間が形成されている。隣接するリブ３９間の空間に２個の端子２４が設けられる場合、両端子２４は、正又は負の同一の極性を有する。これにより、コネクタ２０は、リブ間に１個の端子が使用されている場合に比べてより多くの電気を運ぶことができる。更に、２個の端子２４によって２個の供給経路が形成されるため、端子２４が接続される基板（図示せず）との接触の信頼性が向上する。
【００２２】
コネクタ２０のこのような構成によって、各端子２４の表面領域の大部分が周囲に曝される。このため、ファン等の適切な手段を用いてプリント回路基板を横断しコネクタ２０を通過するように空気を流すと、電気供給によって発生した熱は強制対流冷却により放散される。更に、コネクタハウジングは、独特な構造を有するため、従来のコネクタハウジングよりも熱容量が小さい。その上、端子は、ハウジング内の閉空間に閉じ込められていないため、端子の曝される表面を通過する空気流を発生させるためのファンが存在しない場合であっても、周囲への熱放射をよりよく行うことができる。
【００２３】
スロット５０、５２、６６、６８及び開口部５４、７０内の隣接するリブ３９間に設けられる端子２４が１個だけの場合も、隣接するリブ３９のうちの少なくとも一方とは端子２４が接触しないように空間が提供される。空気を流すと、空気は、プリント回路基板の近傍を通り、端子２４の脚８０ａ、８０ｂ、リブセクション４０、５６の第２部分４６、６２の近傍のベース部分７２、リブセクション４０、５６の第１部分４４、６０の近傍の細長部分７４、７６に沿ってこの空間を流れる。この設計によると、各端子２４の大きな表面領域を周囲に曝すことができ、端子２４の表面領域上を空気が流れて端子２４及びプリント回路基板から対流によって熱を放散することができる。このような空間が設けられない場合であっても、中央壁３０の両側のリブ３９間において各端子２４の大きな表面領域が周囲に曝されるため、端子２４の表面領域上を流れる空気流は、強制対流冷却によって端子２４及びプリント回路基板から熱を放散させる。
【００２４】
リブ３９間に２個の端子２４が設けられるのが好ましいが、この場合、空気は、プリント回路基板の近傍を流れ、端子２４の脚８０ａ、８０ｂ、リブセクション４０、５６の第２部分４６、６２の近傍のベース部分７２、リブセクション４０、５６の第１部分４４、６０の近傍の細長部分７４、７６に沿ってこの空間を流れる。この設計によると、各端子２４の大きな表面領域を周囲に曝すことができ、端子２４の表面領域上を空気が流れて端子２４及びプリント回路基板から対流によって熱を放散することができる。このような空間が設けられない場合であっても、中央壁３０の両側のリブ３９間において各端子２４の大きな表面領域が周囲に曝されるため、端子２４の表面領域上を流れる空気流は、強制対流冷却によって端子２４及びプリント回路基板から熱を放散させる。
【００２５】
図８〜１３に示すコネクタ１２０に注目する。該コネクタ１２０は、絶縁性ハウジング１２２と、該ハウジング１２２内に取付けられた複数の導電性端子１２４とを有する。図示のコネクタ１２０は２０個の端子１２４を有しているが、コネクタ１２０は、任意の数、例えば、１６０個の端子１２４を有することができると理解すべきである。
【００２６】
図９、図１０、図１２及び図１３においてより明確に示されているが、ハウジング１２２は、細長の第１ベース壁１２６、該第１ベース壁１２６から離間した細長の第２ベース壁１２８、並びに、第１ベース壁１２６及び第２ベース壁１２８から離間しそれらの間に設けられた細長の中央壁１３０を含む。第１ベース壁１２６、第２ベース壁１２８及び中央壁１３０はほぼ直方体である。第１ベース壁１２６、第２ベース壁１２８及び中央壁１３０の一端は、第１の端部壁１３２によって互いに接続されており、それらの他端は第２の端部壁１３４によって互いに接続されている（図１２及び１３においては第２の端部壁１３４は切取られている）。端部壁１３２、１３４は、第１ベース壁１２６、第２ベース壁１２８及び中央壁１３０に直交している。
【００２７】
第１ベース壁１２６と中央壁１３０の間において第１ベース壁１２６からほぼＬ字型の複数のリブセクション１３６が延在している。Ｌ字型リブセクション１３６は互いに離間している。図１３において最もよく示されているが、各リブセクション１３６は、第１リブ部１３８と、第２リブ部１４０と、第３リブ部１４２とから成る。第１リブ部１３８は、第１ベース壁１２６から第１の方向に延在しており、隣接する第１リブ部１３８間にスロット１３７が形成されている。第２リブ部１４０は、第１ベース壁１２６と中央壁１３０との間に延在し、これらと一体的に形成されている。第２リブ部１４０も、第１ベース壁１２６から、第１リブ部１３８とは反対方向の第２の方向に延在している。第３リブ部１４２は、第２リブ部１４０から、第１リブ部１３８の延在方向とは反対の方向に延在している。第２リブ部１４０及び第３リブ部１４２は第１リブ部１３８の延在方向とは反対の方向に延在しているが、隣接する第２リブ部１４０及び第３リブ部１４２の間にはスロット１３９が形成されている。図９及び１０において最もよく示されているが、隣接する第２リブ部１４０、中央壁１３０及び第１ベース壁１２６の間に開口部１４３が形成されている。
【００２８】
第２ベース壁１２８と中央壁１３０との間においてほぼＬ字型の複数のリブセクション１４４が第２ベース壁１２８から延在しており、これらリブセクション１４４の形状はリブセクション１３６と同一である。Ｌ字型リブセクション１４４は互いに離間している。リブセクション１４４はコネクタ１２０の長さ方向に沿って対応するリブセクション１３６と位置合せされている。図１３において最もよく示されているが、各リブセクション１４４は、第１リブ部１４８、第２リブ部１５０及び第３リブ部１５２から成る。第１リブ部１４８は、第２ベース壁１２８から第１のリブ部分１３８と同じ第１の方向に延在している。隣接する第１リブ部１４８にはスロット１４６が形成されている。第２リブ部１５０は、第２ベース壁１２８と中央壁１３０との間に延在しており、これらと一体的に形成されている。第２リブ部１５０も、第２ベース壁１２８から、第１リブ部１４８とは反対の第２の方向に延在している。第３リブ部１５２は、第２リブ部１５０から、第１リブ部１４８の延在方向とは反対の方向に延在している。第２リブ部１５０及び第３リブ部１５２は第１リブ部１４８とは反対の方向に延在しているが、隣接する第２リブ部１５０及び第３リブ部１５２の間にはスロット１５１が形成されている。図９及び１０において最もよく示されているが、隣接する第２リブ部１５０、中央壁１３０及び第２ベース壁１２８の間には開口部１５４が形成されている。
【００２９】
各リブセクション１３６、１４４とこれらの間の中央壁１３０の部分とは、組合されたときに、第１の実施形態と同様に、ほぼＵ字状のリブ１５６を形成している。
【００３０】
図１２及び１３において最もよく示されているが、中央壁１３０の両側において隣接するリブ１５６間に一対の端子１２４が配設されている。各端子１２４は、細長の湾曲コンタクト部分１５８と、組合されるプリント回路基板（図示せず）とコネクタ１２０とを接続するのに用いる一対の脚１６０ａ、１６０ｂとを含む。コンタクト部分１５８は複数の戻止め部１６２を含み、端子がハウジング１２２内に取付けられると、戻止め部１６２は対応する第２部分１４０、１５０に食込む。端子１２４は打抜成形される。コネクタ１２０の一方の側においては、対応する端子１２４のコンタクト部分１５８は、スロット１３７、開口部１４３及びスロット１３９内にあり、脚１６０ａ、１６０ｂは第２リブ部及び第３リブ部１４０、１４２から延出している。端子１２４、第１ベース壁１２６及びリブセクション１３６の間には空間が形成されている。コネクタ１２０の他方の側においては、対応する端子１２４のコンタクト部分１５８はスロット１４６、開口部１５４及びスロット１５１の内部にあり、脚１６０ａ、１６０ｂは第２及び第３リブ部１５０、１５２から延在している。端子１２４、第２ベース壁１２８及びリブセクション１４４の間には空間が形成されている。
【００３１】
コネクタ１２０のこのような構成によって、各端子１２４の表面領域の大部分が周囲に曝される。このため、ファン等の適切な手段を用いてプリント回路基板を横断してコネクタ１２０を通過するように空気を流すと、電流供給によってプリント回路基板（図示せず）及び端子１２４から発生した熱は強制対流冷却により放散される。
【００３２】
コネクタ１２０内に空気を流すと、空気は、プリント回路基板の近傍を通り、端子１２４の脚１６０ａ、１６０ｂ、端子１２４のコンタクト部分１５８に沿ってこの空間を流れる。この設計によると、各端子１２４の大きな表面領域を周囲に曝することができ、端子１２４の表面領域上を空気が流れて端子１２４及びプリント回路基板から生じた熱を対流により放散することができる。このような空間が設けられない場合であっても、中央壁１３０の両側のリブ１５６間において各端子１２４の大きな表面領域が周囲に曝されるため、端子１２４の表面領域上を流れる空気流は、強制対流冷却によって端子１２４及びプリント回路基板から熱を放散させる。
【００３３】
大きな表面積を有する端子１２４の設計は、Ｌｄｉ／ｄｔ及びループインダクタンスにおいて有利である。ｄｉ／ｄｔを引起こすには、「＋」端子と「−」端子とが電気的に結合された（すなわち、互いに近接した位置にある）場合、主電流経路における平面領域が大きいと、ループインダクタンスを小さくするのに役立つ。端子１２４はＶＯ＋ＶＯ＋ＶＯ−ＶＯ−の順に配設される。主電流経路には交互に配設されたＶＯ＋とＶＯ−を通過する。ループインダクタンスはＬｌｏｏｐ＝Ｌ１１＋Ｌ２２−２（Ｌ１２）（式中、Ｌ１１及びＬ２２は各端子１２４の自己インダクタンスであり、Ｌ１２は端子１２４間の相互インダクタンスである）で定義される。電力供給における目的はループインダクタンスを低減することである。この目的は、式Ｖｄｒｏｐ＝Ｌｌｏｏｐ×ｄI ／ｄｔで定義されるように、安定した電圧を維持する（電圧降下を最小にする）必要性によって決まる。Ｌｌｏｏｐの式から、Ｌ１１を小さくする、Ｌ２２を小さくする、及び／又はＬ１２を大きくすることによってＬｌｏｏｐを小さくすることができる。相互インダクタンス（Ｌ１２）を増加させるには、端子１２４の電流搬送経路を互いに接近させればよい。自己インダクタンス（Ｌ１１及びＬ２２）を減少させるには、端子１２４の断面積を比較的大きくすればよい。このコネクタ１２０においてこれらを組合せると、同一のシステムにおける他のコネクタに比べ電圧降下の少ない相互接続が得られる。すなわち、隣接するリブ１５６間の端子１２４は差動対（すなわち、一方がＶ＋、他方がＶ−）とすることができ、差動対を構成する端子１２４間の離間距離が小さい程、その差動対が発生するループインダクタンスが小さくなる。ループインダクタンスを低減させるために端子１２４間の離間距離を減少させるのに加え、表面積を増加させた端子１２４を用いることによって、ループインダクタンスを低減することができる。
【００３４】
各実施形態においては、ハウジング２２、１２２がリブ３９、１５６によって形成されているため、材料の使用量が少なく、ハウジング２２、１２２自体が保持する熱は従来技術の装置に比べ少ない。更に、ハウジング２２、１２２の材料の使用量が少ないため、コネクタ２０、１２０の製造コストを従来技術の装置よりも低減することができる。ハウジング２２、１２２は、モールド成形中にサイドプルをしなくてよいため、モールド成形によって容易に製造することができる。
【００３５】
本発明の好ましい実施形態について図示し、説明を行ったが、当業者であれば、添付の特許請求の範囲の精神及び範囲を逸脱することなく、本発明の各種変形例を創出することができると考えられる。
【図面の簡単な説明】
【００３６】
【図１】本発明の第１の実施形態の特徴が組込まれたコネクタの斜視図である。
【図２】図１のコネクタの底面図である。
【図３】図１のコネクタの上面図である。
【図４】図１のコネクタの正面図である。
【図５】ハウジングの一部が切取られた図１のコネクタの斜視図である。
【図６】ハウジングの一部が切取られ端子が１個取外された図１のコネクタの斜視図である。
【図７】ハウジングの一部が切取られ端子が２個取外された図１のコネクタの斜視図である。
【図８】本発明の第２の実施形態の特徴が組込まれたコネクタの斜視図である。
【図９】図８のコネクタの底面図である。
【図１０】図８のコネクタの上面図である。
【図１１】図８のコネクタの正面図である。
【図１２】ハウジングの一部が切取られた図８のコネクタの斜視図である。
【図１３】ハウジングの一部が切取られ端子が１個取外された図８のコネクタの斜視図である。
【図１】
2006523362.tif 000003
【図２】
2006523362.tif 000004
【図３】
2006523362.tif 000005
【図４】
2006523362.tif 000006
【図５】
2006523362.tif 000007
【図６】
2006523362.tif 000008
【図７】
2006523362.tif 000009
【図８】
2006523362.tif 000010
【図９】
2006523362.tif 000011
【図１０】
2006523362.tif 000012
【図１１】
2006523362.tif 000013
【図１２】
2006523362.tif 000014
【図１３】
2006523362.tif 000015
【手続補正書】
【提出日】平成16年12月23日(2004.12.23)
【手続補正１】
【補正対象書類名】特許請求の範囲
【補正対象項目名】全文
【補正方法】変更
【補正の内容】
【特許請求の範囲】
【請求項１】
第１ハウジングベース壁と、該第１のハウジング壁に接続され、該第１のハウジング壁から離間している第２ハウジングベース壁とを含むハウジングであって、互いに離間した複数のリブが前記ハウジングから延在して隣接するリブ間にスロットを画定し、前記リブの各々は、前記ハウジングベース壁の各々から延在する第１リブ部及び第２リブ部を含み、前記第１リブ部の各々は、前記ハウジングベース壁の各々から第１の方向に延在して前記スロットの各々が第１スロット部を備え、前記第２リブ部の各々は、前記ハウジングベース壁の各々から第２の方向である反対方向に延在して前記スロットの各々が第２スロット部を備えるハウジングと、
前記スロットの各々の中に位置決めされるとともに前記ハウジングに接続された少なくとも１個の端子とを有し、前記各端子の表面領域が周囲に曝されて前記表面領域上を空気が流れ前記少なくとも１個の端子からの熱を放散することができるようになっているコネクタ。
【請求項２】
前記端子のうちの少なくとも１個が、対応する第１スロット部及び第２スロット部の内部に位置決めされている、請求項１に記載のコネクタ。
【請求項３】
前記端子の各々が、端子ベース壁と、該端子ベース壁から延在する第１端子部と、前記端子ベース壁から同一方向に延在する第２端子部とを有し、前記第１及び第２端子部は、対応する第１スロット部内に位置決めされており、対応する前記端子ベース壁の各々は、対応する第２スロット部内に位置決めされている、請求項１に記載のコネクタ。
【請求項４】
前記ハウジングは、前記第１ハウジングベース壁と第２ハウジングベース壁との間に設けられたハウジング中央壁を更に含み、該ハウジング中央壁と前記第１ハウジングベース壁との間に第１開口部が形成され、前記ハウジング中央壁と第２ハウジングベース壁との間に第２開口部が形成され、前記第１端子部は対応する第１開口部内に位置決めされ、前記第２端子部は対応する第２開口部内に位置決めされている、請求項３に記載のコネクタ。
【請求項５】
前記端子の各々は、組合されるプリント回路基板に前記端子を接続するための手段を更に含み、該手段は前記第２リブ部の端部を超えて延在している、請求項４に記載のコネクタ。
【請求項６】
前記端子の各々は、前記端子を前記ハウジングに接続するための手段を更に含む、請求項４に記載のコネクタ。
【請求項７】
前記端子の各々は、前記第１端子部に形成された拡大ヘッドと、前記第２端子部に形成された拡大ヘッドとを含む、請求項４に記載のコネクタ。
【請求項８】
前記第１開口部の幅は前記第１端子部の幅より広く、空気が前記第１開口部内を流れることができ、前記第２開口部の幅は前記第２端子部の幅より広く、空気が前記第２開口部内を流れることができる、請求項４に記載のコネクタ。
【請求項９】
隣接するリブ間に２個の端子が設けられ、前記第１開口部の幅は前記２個の端子の幅より広く、空気が前記第１開口部内を流れることができ、前記第２開口部の幅は前記２個の端子の幅より広く、空気が前記第２開口部内を流れることができる、請求項８に記載のコネクタ。
【請求項１０】
前記ハウジングは中央壁を備え、前記第１ハウジングベース壁及び第２ハウジングベース壁は前記ハウジング中央壁に接続され、前記第１ハウジングベース壁、前記ハウジング中央壁及び前記第２ハウジングベース壁は互いに離間され、前記ハウジング中央壁と前記第１ハウジングベース壁との間に第１開口部が形成されているとともに前記ハウジング中央壁と第２ハウジングベース壁との間に第２開口部が形成されており、前記少なくとも１個の端子は前記開口部内に位置決めされ、前記端子の各々の更なる表面領域が周囲に曝されて空気が前記表面領域上を流れ前記少なくとも１個の端子からの熱を放散することができるようになっている、請求項１に記載のコネクタ。
【請求項１１】
隣接するリブ間に２個の端子が設けられる、請求項１０に記載のコネクタ。
【請求項１２】
前記端子の各々が、端子ベース壁と、該端子ベース壁から延在する第１端子部と、前記端子ベース壁から同一方向に延在する第２端子部とを含み、前記第１端子部は前記第１開口部及び対応するスロットの内部に位置決めされ、前記第２端子部は前記第２開口部及び対応するスロットの内部に位置決めされ、前記端子ベース壁は対応するスロットの内部に位置決めされている、請求項１０に記載のコネクタ。
【請求項１３】
前記第１開口部の幅は前記第１端子部の幅より広く、空気が前記第１開口部内を流れることができ、前記第２開口部の幅は前記第２端子部の幅より広く、空気が前記第２開口部内を流れることができる、請求項１２に記載のコネクタ。
【請求項１４】
隣接するリブ間に２個の端子が設けられる、請求項１２に記載のコネクタ。
【請求項１５】
隣接するリブ間に２個の端子が設けられる、請求項１に記載のコネクタ。
【請求項１６】
隣接するリブ間に設けられた前記２個の端子は同一の極性を有する、請求項１５に記載のコネクタ。
【国際調査報告】
2006523362.tif 000016
2006523362.tif 000017